(57)【要約】【課題】  一般のユーザが室内機内部の掃除や点検などの作業をする際に、フロントパネル２を開けた状態での作業を容易にし、コスト的にも有利な空気調和機を提供する。【解決手段】  本発明は、室内機本体側にフロントパネル２を保持するフロントパネル保持アーム１を具備し、このフロントパネル保持アーム１は軸部１ａにより軸支され、自在に回動する構成とすることにより、一般のユーザが室内機内部の掃除や点検などの作業をする際にも作業しやすいように、フロントパネル２を開けた状態で保持するために利用できるものとした。また、フロントパネル保持アーム１は室内機本体部の化粧カバー４に設けた構成としている。【選択図】図１
2009097762.tif 000002
【特許請求の範囲】
【請求項１】
吹出し口，送風機，熱交換器を有する本体と、回動中心部を形成したレバーを有する開閉及び着脱可能なフロントパネルを設けた壁掛け式空気調和機室内機において、室内機本体側にフロントパネルを開いたままの状態で保持するためのフロントパネル保持アームを具備することを特徴とする空気調和機。
【請求項２】
請求項１において、フロントパネル保持アームが簡単に位置決めできる構造であり、かつフロントパネル保持アームを簡単に固定・保持できる構造を具備することを特徴とする空気調和機。
【請求項３】
請求項１において、フロントパネル保持アームが簡単に位置決めできる構造であり、かつフロントパネル保持アームが自重で落下することにより容易に収納される構造を具備することを特徴とする空気調和機。
【発明の詳細な説明】
【技術分野】
【０００１】
本発明は、熱交換器，送風機，吹出し口を有する本体と、回動中心部を形成したレバーを有する開閉および着脱可能なフロントパネルで構成される壁掛け式空気調和機室内機に関するものである。
【背景技術】
【０００２】
従来の空気調和機の室内機は、例えば図２で示す外観をしており、内部構造は図３，図４の断面図のように表される。冷房暖房などの運転時においては、図４から判るように、室内空気は吸込みパネル３が開いてできる室内機前面及び上面の化粧カバー４の吸込み口から矢印ｂの方向に吸込まれ、熱交換器５を介して熱交換を行い、送風ファン６により送風される構成となっている。その後、露受皿９とキャビネット１０で形成される吹出し口より、左右風向板７および上下風向板８による経路を通して、矢印ｃの方向に送風される。
【０００３】
そして、このとき、吸込みパネル３より構成されるフロントパネル２は、図５，図６が示すように室内機本体表面をカバーする化粧カバー４とフロントパネル軸部２ａにより軸支され、自在に回動する構成となっている。
【０００４】
このように回動自在に軸支されたフロントパネル２を開けた状態で、掃除や機器内部の点検などの作業を行う際に、保持が確実でないためフロントパネル２自身の自重で閉まってしまうことや、迅速に作業を行うことが困難であるといった問題があった。
【０００５】
このため、上記問題を解決しようとした従来技術として、フロントパネル２を開けた状態を保持するためにフロントパネル軸部２ａにリブ形状を追加した特許文献１、バネを利用してフロントパネル２を開けた状態を保持する特許文献２が開示されており、フロントパネル２を開けた状態で作業しやすいように、フロントパネル２が開いた状態で保持される構造を具備した空気調和機が考案されている。
【０００６】
【特許文献１】特開平０７−３０５８６１号公報
【特許文献２】特開平０７−０２７３６２号公報
【発明の開示】
【発明が解決しようとする課題】
【０００７】
しかしながら、上記従来技術では、開閉動作の際に摩擦による異音が発生し、一般のユーザが室内機内部の掃除や点検などの作業をする上での妨げになったり、部品点数が多くコストが増大するといった問題があった。
【０００８】
本発明は、一般のユーザが室内機内部の掃除や点検などの作業を行う上で、作業の容易な空気調和機を提供することを目的とする。
【課題を解決するための手段】
【０００９】
本発明は上記課題を解決するために、軸部１ａにより軸支され、自在に回動する構成となっているフロントパネル保持アーム１を有する。これにより、一般のユーザが室内機内部の掃除や点検などの作業をする際にも作業しやすいように、フロントパネル２を開けた状態で保持するために利用できるものとした。また、フロントパネル保持アーム１は室内機本体部の化粧カバー４に設けた構成としている。
【発明の効果】
【００１０】
本発明によれば、一般のユーザが室内機内部の掃除や点検などの作業をする際も作業が容易であり、コスト的にも有利な空気調和機が実現できる。
【発明を実施するための最良の形態】
【００１１】
以下、本発明の空気調和機の実施例を図面に基づいて説明する。
【００１２】
（実施の形態１）図１，図２は空気調和機の全体構成、図３〜図６は従来の空気調和機の断面図、図７は空気調和機の断面図を示す。空気調和機は室外機と室内機の分離型であるが、室外機は割愛した。
【００１３】
冷房・暖房などの運転時においては、図４から判るように、室内空気は吸込みパネル３が開いてできる室内機前面及び上面の化粧カバー４の吸込み口から矢印ｂの方向に吸込まれ、熱交換器５を介して熱交換を行い、送風ファン６により送風される構成となっている。その後、露受皿９とキャビネット１０で形成される吹出し口より、左右風向板７および上下風向板８による経路を通して、矢印ｃの方向に送風される。
【００１４】
このとき、室内空気が吸込みパネル３や、化粧カバー４に装備され室内機前面部や上面部に配置されるフィルタを通過するため、室内の埃等によって汚れ、これらを一定頻度で掃除する必要性が生じる。
【００１５】
そのため、一般のユーザがこれらを容易に掃除できるように、フロントパネル２やフィルタを本体から取り外せる構造となっており、吸込みパネル３より構成されるフロントパネル２は、図５，図６が示すように室内機本体表面をカバーする化粧カバー４とフロントパネル軸部２ａにより軸支され、自在に回動する構成となっている。
【００１６】
次に、図７に示すフロントパネル２を開けた状態を保持するための、フロントパネル保持アーム１について説明する。
【００１７】
図７はフロントパネル保持アーム１利用時の断面図であり、軸部１ａにより軸支され、自在に回動する構成となっている。これはフロントパネル２を保持するためのフロントパネル保持アーム１により、フロントパネル２をａ方向に回動させて開けた状態で、保持している状態を示す。
【００１８】
このとき、図８，図９に示すように、フロントパネル保持アーム１の固定用ツメ１ｂが、室内機本体部の化粧カバーの固定用軸部４ｂと嵌合し、固定された状態となる。これにより、フロントパネル保持アーム１が固定・保持されることでフロントパネルを開けた状態を保持することが可能となり、一般のユーザが室内機内部の掃除や点検などの作業をする際も、作業の容易な空気調和機となる。
【００１９】
また、このフロントパネル保持アーム１は室内機本体部の化粧カバー４に設けた構成となっており、図８，図９のようにフロントパネル２とは単純支持で保持している構造であるため、容易に位置決めが可能である。
【００２０】
さらに、その具体的な実施例として、図１０，図１１にフロントパネル保持アーム１とその周辺部品の構成を示す。
【００２１】
図１０，図１１において、化粧カバー４の部品の一つであるフロントパネル保持アーム台座カバー４ａにある穴部に、フロントパネル保持アーム軸部１ａで軸支している構成となっている。また、フロントパネル保持アーム１は自在に回動できる構成となっているため、図１１のようにフロントパネル保持アーム１を回動させた場合も、矢印ｄ方向に自重により回転落下し、収納される構成となっている。
【００２２】
（実施の形態２）次に、図１２，図１３，図１４は実施の形態１のフロントパネル保持アーム１を他の構成とした実施の形態２を示す図である。
【００２３】
図１２は実施の形態２の空気調和機の斜視図であり、図１３は実施の形態２における空気調和機の断面図、図１４は実施の形態２における空気調和機の要部拡大断面図である。
【００２４】
図１３，図１４はフロントパネル保持アーム１利用時の断面図であり、軸部１ａにより軸支され、自在に回動する構成となっている。これはフロントパネル２を保持するためのフロントパネル保持アーム１により、フロントパネル２をａ方向に回動させて開けた状態で、保持している状態を示す。
【００２５】
このとき、図１３，図１４に示すように、フロントパネル保持アーム１は室内機本体部の化粧カバー４に設けた構成となっており、図１３，図１４のようにフロントパネル２とは単純支持で保持している構造であるため、容易に位置決め・開閉が可能である。このため、一般のユーザが室内機内部の掃除や点検などの作業をする際も、より作業の容易な空気調和機となる。
【００２６】
さらに、フロントパネル２を閉める際には、フロントパネル保持アーム１と保持している状態からわずかにフロントパネル２をａ方向に回動させるだけで、フロントパネル保持アーム１は自重により、ｄ方向に回転落下して収納される構成となっている。
【００２７】
以上、フロントパネル保持アーム１により、フロントパネル２を開けた状態を保持する技術において、一般のユーザが室内機内部の掃除や点検などの作業をする際も作業が容易で、かつコスト的にも有利な空気調和機となる。
【００２８】
更に具体的に言えば、吹出し口，送風機，熱交換器を有する本体と、回動中心部を形成したレバーを有する開閉及び着脱可能なフロントパネルを設けた壁掛け式空気調和機室内機において、室内機本体側にフロントパネルを開いたままの状態で保持するためのフロントパネル保持アームを具備すれば、フロントパネル保持アームを利用することでフロントパネルを開けた状態で、一般のユーザが室内機内部の掃除や点検などの作業をする際も、作業の容易な空気調和機となる。
【００２９】
また、フロントパネル保持アームが簡単に位置決めできる構造であり、かつフロントパネル保持アームを簡単に固定・保持できる構造を具備すれば、フロントパネル保持アームを固定・保持することでフロントパネルを開けた状態を保持することが可能となり、一般のユーザが室内機内部の掃除や点検などの作業をする際も、作業の容易な空気調和機となる。
【００３０】
例えば、フィルタ自動掃除機能を搭載していない空気調和機においては、搭載している機種に比べて、フィルタ掃除の必要性から一般のユーザが室内機内部の掃除などのメンテナンスを行う頻度が高くなってしまう。このため、フロントパネル保持アームを固定・保持する構造を付加することで、フロントパネルを開けた状態を保持することが可能となり、一般のユーザが室内機内部の掃除や点検などの作業をする際も、作業の容易な空気調和機となる。
【００３１】
また、フロントパネル保持アームが簡単に位置決めできる構造であり、かつフロントパネル保持アームが自重で落下することにより容易に収納される構造を具備すれば、フロントパネル保持アームを利用することでフロントパネルを開けた状態を保持することが可能となり、一般のユーザが室内機内部の掃除や点検などの作業をする際も、作業の容易な空気調和機となる。
【００３２】
また、一般のユーザが室内機内部の掃除などのメンテナンスを行う頻度が低いフィルタ自動掃除機能を搭載している空気調和機においては、集めた埃をためるダストボックスの掃除などの簡単な作業のみになるため、より容易に開閉できる構成の方がさらに作業が容易となる。
【図面の簡単な説明】
【００３３】
【図１】実施の形態１の空気調和機のフロントパネルを開けた状態の斜視図。
【図２】実施の形態１の空気調和機のフロントパネルを閉めた状態の斜視図。
【図３】従来の空気調和機の吸込みパネルを閉めた状態の断面図。
【図４】従来の空気調和機の吸込みパネルを開けた状態の断面図。
【図５】従来の空気調和機のフロントパネルを閉めた状態の断面図。
【図６】従来の空気調和機のフロントパネルを開けた状態の断面図。
【図７】実施の形態１の空気調和機のフロントパネルを開けた状態の断面図。
【図８】実施の形態１における空気調和機の断面図。
【図９】実施の形態１における空気調和機の要部拡大断面図。
【図１０】実施の形態１におけるフロントパネル保持アームの詳細斜視図。
【図１１】実施の形態１におけるフロントパネル保持アーム利用時の詳細斜視図。
【図１２】実施の形態２の空気調和機の斜視図。
【図１３】実施の形態２における空気調和機の断面図。
【図１４】実施の形態２における空気調和機の要部拡大断面図。
【符号の説明】
【００３４】
１  フロントパネル保持アーム
１ａ  フロントパネル保持アーム軸部
１ｂ  固定用ツメ
２  フロントパネル
２ａ  フロントパネル軸部
３  吸込みパネル
４  化粧カバー
４ａ  フロントパネル保持アーム台座カバー
４ｂ  固定用軸部
５  熱交換器
６  送風ファン
７  左右風向板
８  上下風向板
９  露受皿
１０  キャビネット
ａ  フロントパネル全開方向
ｂ  室内空気吸込み方向
ｃ  室内空気送風方向
ｄ  フロントパネル保持アーム自重回転方向
【図１】
2009097762.tif 000003
【図２】
2009097762.tif 000004
【図３】
2009097762.tif 000005
【図４】
2009097762.tif 000006
【図５】
2009097762.tif 000007
【図６】
2009097762.tif 000008
【図７】
2009097762.tif 000009
【図８】
2009097762.tif 000010
【図９】
2009097762.tif 000011
【図１０】
2009097762.tif 000012
【図１１】
2009097762.tif 000013
【図１２】
2009097762.tif 000014
【図１３】
2009097762.tif 000015
【図１４】
2009097762.tif 000016